(57)【要約】【課題】  設営や撤去を短時間に行うことができるとともに、ゴンドラ自体の周囲のみを確実に養生することができるゴンドラ用の養生装置を提供すること。【解決手段】  作業床１１の構造物側面側が開口１３ａし養生部材１６を取り付ける養生枠部材１３をエアチューブで構成するとともに、このエアチューブにエアを給排して設営・撤去を行うエア給排手段１９を設け、前記養生枠部材１３にゴンドラの作業空間を囲む養生部材１６を取り付けるようにする。  これにより、エアチューブの養生枠部材１３にネットやシートなどの養生部材１６を取り付け、エアチューブにエアを供給して設営し、エアを排気して撤去することで、短時間に設営・撤去ができるようになり、エアチューブを構造物側面に当てることで構造物側面との気密性を高めて確実に養生できるようになる。【選択図】  図１
2009155927.tif 000002
【特許請求の範囲】
【請求項１】
構造物から吊り下げられ構造物側面に沿って移動される作業床を備えたゴンドラに設けられ周囲への落下や飛散を防止するゴンドラ用の養生装置であって、
前記作業床の構造物側面側が開口し養生部材を取り付ける養生枠部材をエアチューブで構成するとともに、このエアチューブにエアを給排して設営撤去を行うエア給排手段を設け、前記養生枠部材にゴンドラの作業空間を囲む養生部材を取り付けたことを特徴とするゴンドラ用の養生装置。
【請求項２】
前記エアチューブで構成した養生枠部材の前記構造物側面と接する表面に、前方に突出する接触用エアチューブを連結したことを特徴とする請求項１記載のゴンドラ用の養生装置。
【請求項３】
前記養生枠部材を前記作業床の手摺より上部全体及び前記作業床の側面側開口部の全周囲に配置して構成したことを特徴とする請求項１または２記載のゴンドラ用の養生装置。
【請求項４】
前記エア給排手段を、送風手段と、この送風手段の給排気系を切り換える切換手段とで構成したことを特徴とする請求項１〜４のいずれかに記載のゴンドラ用の養生装置。
【請求項５】
前記養生部材に広告を記載して、あるいは養生枠部材に別体の広告を記載したシートを取り付けて広告可能に構成したことを特徴とする請求項１〜５のいずれかに記載のゴンドラ用の養生装置。
【発明の詳細な説明】
【技術分野】
【０００１】
この発明はゴンドラ用の養生装置に関し、建築物などの構造物の上部から垂下したワイヤロープなどの索条を介して作業床などのゴンドラで作業を行う場合に、作業に伴う落下や飛散を防止する養生装置を、短時間に設営撤去できるようにしたものである。
【背景技術】
【０００２】
従来から、ビル、船舶、発電所、タンク、煙突、そして橋梁などの構造物の壁面の構築や補修などの高所作業を安全かつ能率的に行うためワイヤロープなどの索条で吊り下げた作業者が搭乗する作業床を備えたゴンドラ装置や自動窓拭き装置などを搭載する作業床などを吊り下げたゴンドラ装置を用いることも多く、作業床を一定高さに設置したり、昇降機構で上下に昇降可能としたり、さらに必要に応じて上下の昇降だけでなく左右の横行も可能とすることを組み合わせて作業床を移動させることで広範囲の作業を行うようにしている。
【０００３】
このような作業床を備えるゴンドラで作業を行う場合に、作業に伴い塗料や洗浄液などの落下や飛散を防止する必要があり、従来から養生装置が用いられている。
【０００４】
従来から使用されている養生装置としては、例えば構造物の外壁面と対向させて作業空間をあけ、養生台で底部を塞ぐとともに、ネットやシート等で外壁面全体を覆うようにしたものがある（特許文献１参照）。
【０００５】
また、作業を行う部分の外壁面だけ覆うようにした養生装置としては、例えばゴンドラの周囲の手摺を利用して支持枠を取り付け、この支持枠にネットやシート等を取り付けるようにすることも行われている（特許文献２参照）。
【特許文献１】特開平２‐３０８５１号公報
【特許文献２】特開平８−１１４０２７号公報
【発明の開示】
【発明が解決しようとする課題】
【０００６】
ところが、構造物の外壁面全体を覆うように養生台とシートやネットとを設置する養生装置では、構造物の外壁面全体をネットやシート等で覆って養生しなければならず、多くの資材を必要とするとともに、その設営や撤去に多大な時間がかるという問題がある。
【０００７】
また、ゴンドラの周囲の手摺などに取り付けた支持枠にシート等を取付けて養生する養生装置でも、構造物の外壁面全体を覆う場合に比べ簡易ではあるものの、手摺などへの支持枠の取り付け、支持枠へのシートなどの取り付けが必要であり、設営や撤去に時間がかかるという問題がある。
【０００８】
さらに、ゴンドラに支持枠を取り付ける簡易的な養生装置の場合には、作業にともなってゴンドラが揺れたりすると、ゴンドラが外壁面から離れて養生ができなくなってしまうため特殊な機構を設ける必要があるという問題もある。
【０００９】
この発明は、上記従来技術の問題点に鑑みてなされたもので、設営や撤去を短時間に行うことができるとともに、ゴンドラ自体の周囲のみを確実に養生することができるゴンドラ用の養生装置を提供しようとするものである。
【課題を解決するための手段】
【００１０】
上記課題を解決するためこの発明の請求項１記載のゴンドラ用の養生装置は、構造物から吊り下げられ構造物側面に沿って移動される作業床を備えたゴンドラに設けられ周囲への落下や飛散を防止するゴンドラ用の養生装置であって、前記作業床の構造物側面側（コウゾウブツソクメンガワ）が開口し養生部材を取り付ける養生枠部材をエアチューブで構成するとともに、このエアチューブにエアを給排して設営撤去を行うエア給排手段を設け、前記養生枠部材にゴンドラの作業空間を囲む養生部材を取り付けたことを特徴とするものである。
【００１１】
このゴンドラ用の養生装置によれば、 作業床の構造物側面側が開口し養生部材を取り付ける養生枠部材をエアチューブで構成するとともに、このエアチューブにエアを給排して設営撤去を行うエア給排手段を設け、前記養生枠部材にゴンドラの作業空間を囲む養生部材を取り付けるようにしてあり、エアチューブの養生枠部材にネットやシートなどの養生部材を取り付け、エアチューブにエアを供給して設営し、エアを排気して撤去することで、短時間に設営撤去ができるようにし、エアチューブを構造物側面に当てることで構造物側面との気密性を高めて確実に養生できるようにしている。
【００１２】
また、この発明の請求項２記載のゴンドラ用の養生装置は、請求項１記載の構成に加え、前記エアチューブで構成した養生枠部材の前記構造物側面と接する表面に、前方に突出する接触用エアチューブを連結したことを特徴とするものである。
【００１３】
このゴンドラ用の養生装置によれば、 前記エアチューブで構成した養生枠部材の前記構造物側面と接する表面に、前方に突出する接触用エアチューブを連結して構成してあり、接触用エアチューブによって構造物側面との密着性を高めるようにでき、作業床の揺れなどにも広範囲に対応して確実に養生できるようになる。
【００１４】
さらに、この発明の請求項３記載のゴンドラ用の養生装置は、請求項１または２記載の構成に加え、前記養生枠部材を前記作業床の手摺より上部全体及び前記作業床の側面側開口部の全周囲に配置して構成したことを特徴とするものである。
【００１５】
このゴンドラ用の養生装置によれば、前記養生枠部材を前記作業床の手摺より上部全体及び前記作業床の側面側開口部の全周囲に配置して構成してあり、作業床の側面側開口部の全周囲のエアチューブで密着性・気密性を高めるようにし、手摺より上部全体のエアチューブで作業空間を養生できるようになる。
【００１６】
また、この発明の請求項４記載のゴンドラ用の養生装置は、請求項１〜３のいずれかに記載の構成に加え、前記養生部材を前記養生枠部材に面ファスナで着脱可能に取り付けて構成したことを特徴とするものである。
【００１７】
このゴンドラ用の養生装置によれば、前記養生部材を前記養生枠部材に面ファスナで着脱可能に取り付けて構成しており、シートやメッシュなどの養生部材をエアチューブの養生枠部材に面ファスナで取り付けることで、作業内容などの用途に応じ簡単に着脱・変更できるとともに、コンパクトに畳んで撤去状態にできるようにしている。
【００１８】
さらに、この発明の請求項５記載のゴンドラ用の養生装置は、請求項１〜４のいずれかに記載の構成に加え、前記エア給排手段を、送風手段と、この送風手段の給排気系を切り換える切換手段とで構成したことを特徴とするものである。
【００１９】
このゴンドラ用の養生装置によれば、前記エア給排手段を、送風手段と、この送風手段の給排気系を切り換える切換手段とで構成しており、ブロワやファンなどの送風手段と切換手段とでエアの供給と排気を簡単に切り換えて設営や撤去を行うことができるようになる。
【００２０】
また、この発明の請求項６記載のゴンドラ用の養生装置は、請求項１〜５のいずれかに記載の構成に加え、前記養生部材に広告を記載して、あるいは養生枠部材に別体の広告を記載したシートを取り付けて広告可能に構成したことを特徴とするものである。
【００２１】
このゴンドラ用の養生装置によれば、前記養生部材に広告を記載して、あるいは養生枠部材に別体の広告を記載したシートを取り付けて広告可能に構成してあり、養生部材や養生枠部材を利用して簡単に広告することができるようになる。
【発明の効果】
【００２２】
この発明の請求項１記載のゴンドラ用の養生装置によれば、構造物から吊り下げられ構造物側面に沿って移動される作業床を備えたゴンドラに設けられ周囲への落下や飛散を防止するゴンドラ用の養生装置で、作業床の構造物側面側が開口し養生部材を取り付ける養生枠部材をエアチューブで構成するとともに、このエアチューブにエアを給排して設営撤去を行うエア給排手段を設け、前記養生枠部材にゴンドラの作業空間を囲む養生部材を取り付けて構成したので、エアチューブの養生枠部材にネットやシートなどの養生部材を取り付け、エアチューブにエアを供給して設営し、エアを排気して撤去することで、短時間に設営撤去を行うことができるとともに、エアチューブを構造物側面に当てることで構造物側面との気密性を高めて確実に養生することができる。
【００２３】
また、この発明の請求項２記載のゴンドラ用の養生装置によれば、 前記エアチューブで構成した養生枠部材の前記構造物側面と接する表面に、前方に突出する接触用エアチューブを連結して構成したので、接触用エアチューブによって構造物側面との密着性を高めることができるとともに、作業床の揺れなどにも広範囲に対応して確実に養生することができる。
【００２４】
さらに、この発明の請求項３記載のゴンドラ用の養生装置によれば、前記養生枠部材を前記作業床の手摺より上部全体及び前記作業床の側面側開口部の全周囲に配置して構成したので、作業床の側面側開口部の全周囲のエアチューブで確実に密着性・気密性を高めることができ、手摺より上部全体のエアチューブで作業空間を確実に養生することができる。
【００２５】
また、この発明の請求項４記載のゴンドラ用の養生装置によれば、前記養生部材を前記養生枠部材に面ファスナで着脱可能に取り付けて構成したので、シートやメッシュなどの養生部材をエアチューブの養生枠部材に面ファスナで取り付けることで、作業内容などの用途に応じ簡単に着脱・変更することができるとともに、コンパクトに畳んで撤去状態にすることができる。
【００２６】
さらに、この発明の請求項５記載のゴンドラ用の養生装置によれば、前記エア給排手段を、送風手段と、この送風手段の給排気系を切り換える切換手段とで構成したので、ブロワやファンなどの送風手段と切換手段とでエアの供給と排気を簡単に切り換えて設営や撤去を行うことができる。
【００２７】
また、この発明の請求項６記載のゴンドラ用の養生装置によれば、前記養生部材に広告を記載して、あるいは養生枠部材に別体の広告を記載したシートを取り付けて広告可能に構成したので、養生部材や養生枠部材を利用して簡単に広告することができ、構造物の側面への作業をしながら広告を行うことができる。
【発明を実施するための最良の形態】
【００２８】
以下、この発明のゴンドラ用の養生装置の一実施の形態について添付図面を参照して詳細に説明する。 
図１〜図４はこの発明のゴンドラ用の養生装置を作業床としての有人作業用のケージを備えたゴンドラに適用した一実施の形態にかかり、図１は部分概略背面斜視図、図２は部分正面図、右側面図および部分拡大断面図、図３は設営状態と撤去状態のそれぞれ概略側面図、図４はエア供給状態および排気状態のそれぞれ概略説明図である。
【００２９】
このゴンドラ用の養生装置１０は、図示省略したが、構造物の屋上などに設置されるルーフカーに設けた巻取装置に連結されたワイヤロープを介して吊り下げられて昇降される作業床としてのゴンドラや構造物の屋上などに固定されたワイヤロープを作業床としてのゴンドラに設けたワインダに巻き掛けて巻き掛け位置を移動しながら昇降されるゴンドラなど構造物側面に沿って昇降されるあらゆる形式の有人作業用や無人作業用のゴンドラに設置されて落下や飛散を防止するものである。
【００３０】
このゴンドラ用の養生装置１０は、構造物の側面のある位置に停止した作業床としてのゴンドラ１１上から作業を行うことが可能な範囲を覆うものであり、ゴンドラ１１の手摺１２の上部に設置され、構造物側面側が開口した略直方体状にエアチューブで枠組みされた養生枠部材１３を備えている。
【００３１】
この養生枠部材１３の作業側となる構造物側の枠組み部分が側面側開口部１３ａとされ、この側面側開口部１３ａの大きさがゴンドラ１１上からの作業に必要な範囲の上部と左右部を連結した略コ字状に形成してある。なお、側面側開口部１３ａの下部には、別の養生部材を設けるようにしたり、左右部のエアチューブの下端に連結してエアチューブを設けて略ロ字状に形成するようにしても良い。
【００３２】
この養生枠部材１３には、ゴンドラ１１の手摺１２の上端縁に沿って側面開口部１３ａ側が開口した略コ字状の水平枠部１３ｂが設けられ、左右端部が側面開口部１３ａに連結されている。そして、側面開口部１３ａの上部と水平枠部１３ｂの後部との間に天面部と後面部とに沿う略Ｌ字状の垂直枠部１３ｃが一定間隔で複数連結してあり、これにより、ゴンドラ１１の手摺１２の上部全体を覆うような枠組みとなる。
【００３３】
このような養生枠部材１３は、構造物側面と接する側面側開口部１３ａを構成するエアチューブがその直径が他の水平枠部１３ｂおよび垂直枠部１３ｃに比べて大きくしてある。これにより、各枠部の強度、剛性を最適化し、設営時の形状安定を図るとともに構造物側面への密着性を高めるようにしている。
【００３４】
また、側面側開口部１３ａの表面には、図２（ｃ）に示すように、前方に突き出して断面形状が略２等辺三角形状の接触用エアチューブ１４が２列取り付けられて側面側開口部１３ａを構成するエアチューブと連通するようにしてある。この接触用エアチューブ１４は側面側開口部１３ａの上部には、上下に２列配置され、左右部には、左右に２列配置されるように設けてある。
【００３５】
これら２列の接触用エアチューブ１４により構造物側面の形状に倣って密着性・気密性を一層向上することができるとともに、風などによってゴンドラ１１が揺れても接触用エアチューブ１４の変形代により密着状態を保持することが可能となる。
【００３６】
このようなエアチューブで構成した養生枠部材１３は、各エアチューブ１３ａ、１３ｂ、１３ｃ、１４が一気室で連通するようにしてあり、エア給排口１５が１箇所ないし複数箇所設けてある。なお、これらエアチューブは複数気室で構成するようにしても良い。
【００３７】
この養生枠部材１３の内側には、養生部材１６として養生ネットや養生シートが取り付けられ、作業に伴う塗料や洗浄液などが落下したり、飛散しないようにする。この養生部材１６の養生枠部材１３への取り付けには、例えば面ファスナ１７が用いられ、シール状態で取り付けることができるとともに、簡単に取り外すことができるようにしてある。
【００３８】
また、この養生部材１６である養生ネットや養生シートに予め広告を記載しておくことで、構造物などの側面への作業と同時に広告を行うことができ、面ファスナ１７で着脱も簡単にできるので、内容の異なる広告を養生部材１６の取り替えで簡単に行うことができる。
【００３９】
さらに、養生ネットや養生シートとは別に広告を記載したシートなどを用意し、これを養生枠部材１３に取り付けて広告を行うようにすることもできる。
【００４０】
また、養生枠部材１３には、外側に突き出す鳩目を備えた突出片１８が複数取り付けてあり、紐や針金などでゴンドラ１１の手摺１２などに固定して取り付けることができるようにしてある。なお、養生枠部材１３への養生ネットなどの養生部材１３の取り付けも面ファスナに替えて鳩目を備えた突出片を設け、突出片を介して取り付けるようにしても良い。
【００４１】
このゴンドラ用の養生装置１０では、ゴンドラ１１の手摺１２より上部全体を覆うように養生枠部材１３の内側に養生ネットなどの養生部材１６を取り付けるようにしたが、ゴンドラ１１の構造物側面側以外の左右面および後面の手摺１２を有する部分には、養生ネットや養生シートを固定状態で取り付ける。
【００４２】
このようなゴンドラ用の養生装置１０では、エアチューブで構成した養生枠部材１３のエア給排口１５に連結してエア給排手段を構成するブロワ１９と給排気系を切り換える切換手段を構成する切換板２０とが設けてあり、切換板２０を介してエア配管２１でエア給排口１５と接続し、図４に示すように、一台のブロワ１９でエアチューブ内へのエアの供給とエアの排気とを行うことができるようにしてある。
【００４３】
なお、エアの給排は１箇所からだけに限らず複数箇所から行うようにして給排時間を短縮するようにしたり、複数気室のエアチューブとした場合には、少なくとも１箇所から各気室にエアの給排ができるようにする。
【００４４】
また、作業床を自動作業機用の無人のゴンドラとする場合には、エア供給手段および切換手段を遠隔制御可能としたり、自動制御できるようにしておく。
【００４５】
このように構成したゴンドラ用の養生装置１０による養生ネットの設営および撤去は次ぎのようにして行う。
【００４６】
まず、ゴンドラ１１の手摺１２にエアチューブで構成した養生枠部材１３を突出片１８を介して取り付けるとともに、養生枠部材１３の内側に面ファスナ１７を介して養生ネットなどの養生部材１６を取り付けておく。さらに、養生枠部材１３のエア給排口１５にブロワ１９および切換２０を介してエア配管２１を接続しておく。
【００４７】
こうして、準備が完了した後、ゴンドラ１１を作業開始位置に移動させ、ブロワ１９を起動して切換板２０をエア供給側に切り換えて養生枠部材１３のエアチューブ内にエアを供給する。この実施の形態では、エアを常時供給することで、エアチューブで構成された養生枠部材１３の膨らんだ状態を保持するようにしている。なお、エアチューブの気密性を高め、エアを供給して膨らんだ状態とした後、エア給排口１５を閉じてエアの供給を停止するようにしても良い。
【００４８】
エアを供給すると、エアの圧力で養生枠部材１３のエアチューブが膨らみエアドームのようにして養生ネットなどの養生部材１６が張られた設営状態となり、ゴンドラ１１の作業範囲を養生ネットで覆った状態にすることができる。そして、この養生ネットの設営状態では、養生枠部材１３の側面開口部１３ａの表面に設けた接触用エアチューブ１４が膨らんだ状態で構造物側面と接触することになり、構造物側面の形状に良くフィットしてゴンドラ１１に多少の揺れが生じても密着状態を保って密閉された作業空間を形成することができる。
【００４９】
また、養生ネットの設営状態では、養生枠部材１３のエアチューブがエアの供給によって養生部材１６を支持することができる剛性を備える一方で、鋼材などの枠部材に比べて剛性が低いため、ある程度の風に対しては風の影響を緩和してゴンドラ１１への影響を抑えることができ、安定して作業を行うことが可能となる。
【００５０】
次ぎに、設営状態のゴンドラ用の養生装置１０の撤去は、図４（ｂ）に示すように、エア配管２１がブロワ１９の吸気側となるように切換板２０を切り換える。
【００５１】
すると、エアチューブで構成された養生枠部材１３内のエアが排気されて潰れるようになって剛性もなくなり、図３（ｂ）に示すように、養生枠部材１３および養生部材１６を折り畳んで簡単に撤去状態にすることができる。
【００５２】
これによりゴンドラ用の養生装置１０を、エアの供給で設営できるとともに、エアの排気で撤収することができ、短時間に簡単に設営したり、撤去することができる。
【００５３】
また、養生枠部材１３および養生部材１６がシート状の素材で構成されるので、金属素材などに比べ大幅に軽量化することができる。
【００５４】
さらに、養生部材１６を利用して広告を記載することで、構造物の壁面などへの作業と同時に、広告を行うことができ、養生部材とは別に用意した広告用のシートなどを養生枠部材に取り付ける場合にも簡単に広告を行うことができる。
【００５５】
なお、上記実施の形態では、構造物の側面に沿って昇降するゴンドラに適用した場合を例に説明したが、これに限らず、構造物の側面に沿って昇降だけでなく、横移動もできるゴンドラ等に広く適用することができる。
【００５６】
また、ゴンドラの作業床として有人作業用のケージを例に説明したが、これに限らず自動作業装置などを搭載する作業床を備えたゴンドラの場合にも適用することができ、養生枠部材および養生部材を折り畳むなどの撤去形状をガイドなどを設けて規制するように構成したり、ばねなどの弾性体による付勢力を利用するように構成しても良い。
【図面の簡単な説明】
【００５７】
【図１】この発明のゴンドラ用の養生装置を作業床としての有人作業用のケージを備えたゴンドラに適用した一実施の形態にかかる部分概略背面斜視図である。
【図２】この発明のゴンドラ用の養生装置を作業床としての有人作業用のケージを備えたゴンドラに適用した一実施の形態にかかる部分正面図、右側面図および部分拡大断面図である。
【図３】この発明のゴンドラ用の養生装置を作業床としての有人作業用のケージを備えたゴンドラに適用した一実施の形態にかかる設営状態と撤去状態のそれぞれ概略側面図である。
【図４】この発明のゴンドラ用の養生装置を作業床としての有人作業用のケージを備えたゴンドラに適用した一実施の形態にかかるエア供給状態および排気状態のそれぞれ概略説明図である。
【符号の説明】
【００５８】
１０    ゴンドラ用の養生装置
１１    ゴンドラ（作業床）
１２    手摺
１３    養生枠部材
１３ａ  側面側開口部
１３ｂ  水平枠部
１３ｃ  垂直枠部
１４    接触用エアチューブ
１５    エア給排口
１６    養生部材（養生ネット、養生シート）
１７    面ファスナ
１８    突出片（鳩目付）
１９    ブロワ（エア給排手段）
２０    切換板（切換手段）
２１    エア配管
【図１】
2009155927.tif 000003
【図２】
2009155927.tif 000004
【図３】
2009155927.tif 000005
【図４】
2009155927.tif 000006